(57)【要約】【課題】複数のクリヤファイルに入れた書類を探し易く、必要なクリヤファイルの取り出しに便利であり、クリヤファイルに挟んだ書類が他人に見られず秘密管理に適したクリヤファイル収納用ホルダーを提供する。【解決手段】直交する二辺を開放辺とした透明合成樹脂シート製のクリヤファイル１０を挟んで収容するために用いるホルダー２４であって、柔軟で平面復元力が小さい不透明合成樹脂シートからなり、直交する二辺を開放辺３４、３６とした表面部２６および裏面部２８を備え、表面部２６の開放辺３６に指捌き用の切り欠き３８と、裏面部２８にこの切り欠き３８より直交する開放辺３４、３６の隅側に開放辺３６の外側を通って表面部２６と裏面部２８とを連結する開閉可能なストラップ４０とが設けられている。【選択図】図２
2015030163.tif 000002
【特許請求の範囲】
【請求項１】
直交する二辺を開放辺とした透明合成樹脂シート製のクリヤファイルを挟んで収容するために用いるホルダーであって、
柔軟で平面復元力が小さい不透明合成樹脂シートからなり、直交する二辺を開放辺とした表面部および裏面部を備え、前記表面部の開放辺に指捌き用の切り欠きと、前記裏面部にこの切り欠きより前記直交する開放辺の隅側に開放辺の外側を通って前記表面部と裏面部とを連結する開閉可能なストラップとが設けられていることを特徴とするクリヤファイル収納用ホルダー。
【請求項２】
不透明合成樹脂シートは、クリヤファイルの透明合成樹脂シートよりも柔軟で平面復元力が小さく、ホルダーの表面部に設ける指捌き用の切り欠きは前記クリヤファイルが有する指捌き用の切り欠きに臨む位置に設けられている請求項１のクリヤファイル収納用ホルダー。
【請求項３】
不透明合成樹脂シートは中央で折り返されてホルダーの表面部と裏面部が形成され、この折り辺に直交する下辺が逢着され、前記表面部の前記折り辺に対向する開放辺に指捌き用の切り欠きが形成されている請求項１のクリヤファイル収納用ホルダー。
【請求項４】
ホルダーの不透明柔軟樹脂シートはポリ塩化ビニールシートである請求項１のクリヤファイル収納用ホルダー。
【請求項５】
ホルダーの表面部および裏面部の開放辺に沿って縫い糸が縫い込まれ、ホルダーの表面部および裏面部の開放辺側の捩れが防止されている請求項１のクリヤファイル収納用ホルダー。
【発明の詳細な説明】
【技術分野】
【０００１】
この発明は、表面部と裏面部との間に書類を挟んで使用する透明合成樹脂シート製のクリヤファイルを収納しておくためのホルダーに関するものである。
【背景技術】
【０００２】
透明な合成樹脂シートを折り返して表面部と裏面部とし、その間に書類を挟んで運んだり、保管したり、書類を分類したりするためにクリヤファイル（以下単にファイルともいう。）が広く用いられている。このファイルは通常ポリプロピレン（ＰＰ）の透明シートを折り曲げ、この折り辺の両端から直角に伸びる２辺（上辺と下辺）のうち一方（通常は下辺）を超音波溶着し、他の２辺（折り辺および超音波溶着辺に対向する辺）を開放させた開放辺としたものである。このように簡単な構成で留め具がなく、大変軽く、かつ薄いから、鞄などに入れて運ぶのにも便利である（特許文献１、２）。
【０００３】
また、挟んだ書類を外側から目視確認できるから、書類を分類しておくのに便利であり目的の書類を探し出しやすいという特徴を持つものである。例えば、捺印が必要な書類や契約書などの重要書類は別のクリヤファイルに分けて収納し、紛失防止を図ることがある。
【０００４】
この反面このクリヤファイルは、挟める書類の量に限度があるため、薄い書類には適していても枚数が多い書類や、多種類の書類の収納、管理には適さないという問題が有る。このためあくまで少量の書類の一時的な分類、整理のためのファイルと考えられていた。また多数枚のクリヤファイルに書類を挟んで鞄などに入れて運ぶ場合には、ファイルが鞄内で移動してしまい整理しにくかったり、必要なファイルの取り出しに時間が掛かったりするという問題が有る。
【先行技術文献】
【特許文献】
【０００５】
【特許文献１】実用新案第３１１０９３６号公報
【特許文献２】特開平１０−７１７９３号公報
【発明の概要】
【発明が解決しようとする課題】
【０００６】
このように従来のクリヤファイルを複数持ち運ぶ場合には、その整理がしにくいために必要なファイルの取り出しに時間が掛かり、客先、訪問先、会議中などで書類探しに手こずるということがよくあった。また離席時にファイルを机や席に残しておくと他の人にファイル内の書類を外側から見ることができることになり、情報の秘密管理に問題が有る。
【０００７】
一方、クリヤファイルに用いるポリプロピレン樹脂シートは可撓性を持つが硬く（剛性が高く）平面状に復元する力（平面復元力）が大きいものであるから、クリヤファイルの四隅が硬くなり鞄などを傷めることもあった。特に樹脂シートを折返した辺（折返し辺、折り辺）の両端（上下端）の隅が尖った形状になるため、鞄だけでなくファイルや書類を探す際などに手指を傷める恐れもあった。
【０００８】
この発明はこのような事情に鑑みなされたものであり、クリヤファイルに入れた書類を探し易く、複数のファイルを整理して収納し必要なクリヤファイルの取り出しに便利であり、他人に見られて不都合がある書類を入れたクリヤファイルはその間に挟んだ書類を他人に見られないようにして秘密管理を図るのに適したクリヤファイル収納用ホルダーを提供することを目的とするものである。
【課題を解決するための手段】
【０００９】
この発明によればこの目的は、直交する二辺を開放辺とした透明合成樹脂シート製のクリヤファイルを挟んで収容するために用いるホルダーであって、柔軟で平面復元力が小さい不透明合成樹脂シートからなり、直交する二辺を開放辺とした表面部および裏面部を備え、前記表面部の開放辺に指捌き用の切り欠きと、前記裏面部にこの切り欠きより前記直交する開放辺の隅側に開放辺の外側を通って前記表面部と裏面部とを連結する開閉可能なストラップとが設けられていることを特徴とするクリヤファイル収納用ホルダー、により達成される。
【発明の効果】
【００１０】
この発明によれば、ホルダーは可撓性および柔軟性に富みかつ平面復元力が小さい不透明合成樹脂シートで作られているので、挟んだクリヤファイルをホルダー内に残しつつホルダーの表紙だけをめくって開くのに便利である。この時ホルダーは柔軟性に富みかつ平面復元力が小さいので、開いたままの状態で安定し易いから、この状態を保持したまま、他の作業もし易くなる。このようにクリヤファイルをホルダーに収納したままクリヤファイルの書類を容易に確認することができる。
【００１１】
また、ホルダーの表面部には、開放辺に指捌き用切り欠き（指先で捌くために用いる切り欠き）を形成したから、この切り欠きに親指などの腹を当ててホルダーの外からクリヤファイルの書類を捌いて探すことができる。このためクリヤファイルをホルダーから抜き出さなくても必要な書類を容易に探し出すことができる。
【００１２】
なお複数のクリヤファイルを重ねてホルダーに収納すれば、ファイルの整理、収納に便利であり、この時にもこの切り欠きを用いて必要なファイルを探し出すことができ便利である。さらにホルダーは不透明な樹脂シート製なので、他人に見られて不都合があるファイルの書類はホルダーに入れておけば他人に見られることが無く、秘密管理を図るのに適する。さらにまた、鞄に入れる際に多数のクリヤファイルをまとめてホルダーに収容することによりファイルが鞄内でバラバラになるのを防ぎ、クリヤファイルの角で鞄や手指などを傷める恐れを無くすことができる。
【図面の簡単な説明】
【００１３】
【図１】クリヤファイルの正面図
【図２】ホルダーの正面図
【図３】ホルダーを開いてクリヤファイルを収納する状態を示す図
【図４】ストラップによりホルダーを閉じる状態を示す図
【発明を実施するための形態】
【００１４】
ホルダーに用いる不透明合成樹脂シートは、クリヤファイルの透明合成樹脂シートよりも柔軟で平面復元力が小さいものが良い。この場合ホルダーの表面部を開く時にこの表面部をクリヤファイルから一層容易に分離させてめくり上げることができ、開いたホルダー表面部は開いた状態で一層安定する。またホルダーの表面部に設ける指捌き用の切り欠きは前記クリヤファイルが有する指捌き用の切り欠きに臨む位置に設ければ、ホルダーの外からここに挟んだクリヤファイルを開いて必要な書類を取り出すことができ、使い勝手が一層向上する（請求項２）。
【００１５】
ホルダーは、不透明合成樹脂シートを中央で折り返してホルダーの表面部と裏面部を形成し、この折り辺に直交する下辺を（糸で縫って）縫着し、前記表面部の前記折り辺に対向する開放辺に指捌き用の切り欠きを形成するのがよい（請求項３）。下辺を糸で縫い合わせることにより、ホルダーの柔軟性が向上し使用感が向上する。
【００１６】
クリヤファイルは通常透明ポリプロピレン製であり、この樹脂シートは可撓性と平面への強い復元性を有するが、硬度が高く折曲性と柔軟性が少ない。そこでこの場合にホルダーは、平面復元性が弱く柔軟なポリ塩化ビニールシート製とするのが好適である（請求項４）。またこの軟質ポリ塩化ビニールシートは、表面にエンボス加工（シート表面に浮き出し模様（凹凸模様）を付ける加工）を施すことにより柔軟性を向上させ本革などの本物に近い表現ができ、高級感を一層向上させることが可能である。
【００１７】
ホルダーの表面部および裏面部の開放辺に沿って縫い糸が縫い込んでおいてもよい。この処理により、ホルダーの表面部および裏面部の開放辺側の捩れ（よじれ、よれ、撚れ）の発生が防止され、開放辺の波打ち変形が防止されるなどの効果が得られる。このためホルダーの使用感、質感が向上する（請求項５）。
【実施例１】
【００１８】
クリヤファイルは通常図１に示す形状であり、前記のように透明なポリプロピレンシートで作られている。すなわちこのファイル１０は、例えばＡ４サイズのものであり，Ａ３サイズのシートを中央の折り辺１２で折返して表面部１４と裏面部１６が重なるようにしたものである。表面部１４と裏面部１６の下辺は、高周波加熱などによって熱溶着された熱溶着辺となり、他の２辺(折り辺１２の対向辺と上辺）が開放されて開放辺となっている。図中１８はこの熱溶着部である。
【００１９】
表面部１４には、垂直な開放辺すなわち折り辺１２に対向する開放辺１９に指捌き用の切り欠き２０が形成されている。この切り欠き２０は半円形であり、ここに指（通常は親指）の腹を入れて裏面部１６の開放辺１９を裏側に湾曲させ、表面部１４との間に間隙を広げることによりファイルを開くことができる。すなわちファイル１０の開放辺１９を捌いて開きやすくするものである。
【００２０】
なおこの切り欠き２０を設けた開放辺１９の下部には、この縁から表面部１４内にほぼ三角形に進入する他の切り欠き２２が形成されている。この切り欠き２２は、ファイル１０を開いた時に熱溶着辺の熱溶着部１８が開放辺１９側から裂けるのを防ぐものである。
【００２１】
本発明に係るホルダー２４は、図２、３に示すように、クリヤファイル１０の表面部１４および裏面部１６の２倍の寸法とした不透明合成樹脂シートを中央で折返し、各折返した面を前記クリヤファイル１０とほぼ同寸法の表面部２６と裏面部２８としたものである。そしてこの折り辺３０に直交する下辺３２を縫合し（縫い合わせ）、他の２辺３４、３６を開放辺としたものである。
【００２２】
表面部２６の折り辺３０に対向する開放辺３６に指捌き用の切り欠き３８と、裏面部２８のこの切り欠き３８よりも上方(直交する開放辺３４、３６が交わる隅側）にストラップ４０が設けられている。切り欠き３８は、前記クリヤファイル１０を挟んだ時にその切り欠き２０に臨むようにほぼ同一位置に同一径の半円形に形成される。
【００２３】
ストラップ４０は、裏面部２８と一体であって、不透明合成樹脂シートの開放辺３６を水平に伸ばした形状である。このストラップ４０は、開放辺３６の外側を通って前記表面部２６に凹凸スナップボタン４２（４２Ａ、４２Ｂ）によって着脱可能である。すなわちスナップボタン４２の凹側４２Ａがストラップ４０の先端付近に取り付けられ、凸側４２Ｂが表面部２６に取り付けられている。
【００２４】
ここに用いる不透明樹脂シートは可撓性および柔軟性に富みかつ平面復元力が小さいポリ塩化ビニールシートであり、その表面には細かい模様がエンボス加工され、裏面には発泡処理が施されている。この表面がホルダー２４の外表面に表れ、裏面がホルダー２４の内側になる。
【００２５】
ホルダー２４の表面部２６の開放辺３４、３６には、縫い糸が縫い込まれている。４４、４６はこの縫い目を示している。なお縫い目４６は、開放辺３６の縁からストラップ４０の周縁に連続して設けられている。これらの縫い目４６は、表面部２６および裏面部２８の縁が撚れ（捩れ、よれ）たり、波打ったりする変形発生を防止する機能を持ち、ホルダー２４の使用感を向上させるものである。
【００２６】
このホルダー２４には、表面部２６を開放辺３４、３６側からまくり上げて適宜数のクリヤホルダ１０が図３に示すように重ねて挿入されて収容される。この状態で図４に示すように、ストラップ４０の先端を開放辺３６の外側から表面部２６側に導いて凹凸スナップボタン４２（４２Ａ、４２Ｂ）を結合する。このようにストラップ４０を止めることにより、挟んだクリヤファイル１０がホルダー２４から脱出するのを防ぎ、クリヤファイル１０を安定して収容することができる。
【符号の説明】
【００２７】
１０  クリヤファイル
１２  折り辺
１４  クリヤファイルの表面部
１６  クリヤファイルの裏面部
１９  クリヤファイルの開放辺
２０  クリヤファイルの指捌き用切り欠き
２４  ホルダー
２６  ホルダーの表面部
２８  ホルダーの裏面部
３０  ホルダーの折り辺
３２  ホルダーの下辺（縫合辺）
３４、３６  ホルダーの開放辺
３８  ホルダーの指捌き用切り欠き
４０  ストラップ
４２  スナップボタン
【図１】
2015030163.tif 000003
【図２】
2015030163.tif 000004
【図３】
2015030163.tif 000005
【図４】
2015030163.tif 000006